(57)【要約】【課題】所与のシーンのそれぞれに最大の色階調を提供するため、各ラインのビデオコンテンツに依存してビデオ深さを増大可能な方法及び装置を提案する。【解決手段】ディスプレイ装置（１６）を駆動する装置であって、デジタル値をディスプレイ装置（１６）のラインの各画素又はセルのビデオレベルとして受信する入力手段（１１）、少なくとも１つの基準駆動信号を供給する基準信号手段（１９）、及び前記デジタル値と前記少なくとも１つの基準駆動信号とに基づき駆動信号を生成する駆動手段（１５）、を有する。前記装置は、前記少なくとも１つの基準駆動信号を、ラインの少なくとも一部のデジタル値に依存して調整する調整手段（１８）、を更に有する。【選択図】図７
2014132366.tif 000002
【特許請求の範囲】
【請求項１】
可変の基準信号でディスプレイ装置を駆動する方法であって、
ビデオ信号を受信し、１ラインにおいて配置される前記ディスプレイ装置の複数のピクセル又はセルの各個別の１つについて、デジタルビデオレベルを供給する段階と、
前記ラインの少なくとも部分において配置される前記複数のピクセル又はセルのデジタルビデオレベルを分析し、前記ラインの前記部分の夫々についてレベル情報の組を決定する段階と、
２又はそれ以上の単調増大する基準信号の組を、対応する２又はそれ以上の原の基準電圧から生成し、２つの連続する基準信号は電圧の範囲を定義し、該範囲の夫々は等距離のステップにおいて分割され、該ステップは前記ディスプレイ装置のグレイスケール駆動信号を形成するために使用される、段階と、
前記原の基準電圧を前記基準信号へ最初に割り当て、連続する基準信号の各対によって定義される前記電圧の範囲の夫々へデジタルビデオレベルの最初の範囲を割り当て、デジタルビデオレベルの夫々の範囲は第１の個数のステップに分けられる、段階と、
前記レベル情報の組に基づき前記電圧の範囲の夫々についてスケール係数を生成する段階と、
前記基準信号を変更して、前記電圧の範囲を対応するスケール係数によって変更し、前記基準信号は前記ビデオ信号の前記ラインの前記部分の夫々の間保たれ、デジタルビデオレベルの対応する範囲を同じスケール係数によってデジタルビデオレベルの変更された範囲へと変更する段階と、
前記デジタルビデオレベルの変更された範囲を再区分し、デジタルビデオレベルの該再区分をされた範囲は入力グレイレベルを表す前記第１の個数のステップを有する、段階と、
前記入力グレイレベルに従って前記ディスプレイ装置のための前記グレイスケール駆動信号を生成する段階と
を含む方法。
【請求項２】
前記レベル情報の組を決定する段階は、前記ラインの少なくとも部分において配置される前記複数のピクセル又はセルのデジタルビデオレベルのヒストグラムを生成することを含む、
請求項１に記載の方法。
【請求項３】
前記レベル情報の組を決定する段階は、前記ラインの少なくとも部分において配置される前記複数のピクセル又はセルのデジタルビデオレベルの最小レベルを表す第１の値を決定し、前記ラインの少なくとも部分において配置される前記複数のピクセル又はセルのデジタルビデオレベルの最大レベルを表す第２の値を決定することを含む、
請求項１に記載の方法。
【請求項４】
可変の基準信号でディスプレイ装置を駆動する回路であって、
ビデオ信号を受信し、１ラインにおいて配置される前記ディスプレイ装置の複数のピクセル又はセルの各個別の１つについて、デジタルビデオレベルを供給する第１受信手段と、
前記ラインの少なくとも部分において配置される前記複数のピクセル又はセルのデジタルビデオレベルを分析し、前記ラインの前記部分の夫々についてレベル情報の組を決定する第１分析手段と、
２又はそれ以上の単調増大する基準信号の組を、対応する２又はそれ以上の原の基準電圧から生成し、２つの連続する基準信号は電圧の範囲を定義し、該範囲の夫々は等距離のステップにおいて分割され、該ステップは前記ディスプレイ装置のグレイスケール駆動信号を形成するために使用される第１生成手段と、
前記原の基準電圧を前記基準信号へ最初に割り当て、連続する基準信号の各対によって定義される前記電圧の範囲の夫々へデジタルビデオレベルの最初の範囲を割り当て、デジタルビデオレベルの夫々の範囲は第１の個数のステップに分けられる第１割当手段と、
前記レベル情報の組に基づき前記電圧の範囲の夫々についてスケール係数を生成する第２生成手段と、
前記基準信号を変更して、前記電圧の範囲を対応するスケール係数によって変更し、前記基準信号は前記ビデオ信号の前記ラインの前記部分の夫々の間保たれ、デジタルビデオレベルの対応する範囲を同じスケール係数によってデジタルビデオレベルの変更された範囲へと変更する第１変更手段と、
前記デジタルビデオレベルの変更された範囲を再区分し、デジタルビデオレベルの該再区分をされた範囲は入力グレイレベルを表す前記第１の個数のステップを有する第１再区分手段と、
前記入力グレイレベルに従って前記ディスプレイ装置のための前記グレイスケール駆動信号を生成する第３生成手段と
を備える回路。
【請求項５】
前記第１分析手段は、前記ラインの少なくとも部分において配置される前記複数のピクセル又はセルのデジタルビデオレベルのヒストグラムを生成するよう構成され、前記第１分析手段は更に、前記レベル情報の組に前記ヒストグラムを含めるよう構成される、
請求項４に記載の回路。
【請求項６】
前記第１分析手段は、前記ラインの少なくとも部分において配置される前記複数のピクセル又はセルのデジタルビデオレベルの最小レベルを表す第１の値を決定し、前記ラインの少なくとも部分において配置される前記複数のピクセル又はセルのデジタルビデオレベルの最大レベルを表す第２の値を決定するよう構成され、前記第１分析手段は更に、前記レベル情報の組に前記第１の値及び前記第２の値を含めるよう構成される、
請求項４に記載の回路。
【請求項７】
請求項４乃至６のうちいずれか一項に記載の回路を有するか、又は請求項１乃至３のうちいずれか一項に記載の方法を実行するよう構成されるＬＣＤ又はＡＭＯＬＥＤディスプレイ。
【発明の詳細な説明】
【技術分野】
【０００１】
本発明は、ディスプレイ装置を駆動する方法に関する。当該方法は、ディスプレイ装置のラインの各画素又はセルのビデオレベルとしてデジタル値を供給する段階、少なくとも１つの基準駆動信号を供給する段階、及び前記デジタル値と前記少なくとも１つの基準駆動信号とに基づき駆動信号を生成する段階、を有する。更に、本発明は、ディスプレイ装置を駆動する個別の装置に関する。
【背景技術】
【０００２】
アクティブマトリックスＯＬＥＤ（有機発光ディスプレイ）又はＡＭＯＬＥＤの構造は、良く知られている。図１によると、当該構造は以下を有する。
−セル毎に（１つの画素は赤色セル、緑色セル及び青色セルを有する）、ＯＬＥＤ材料と接続されたキャパシターＣを備えた複数のＴＦＴ  Ｔ１、Ｔ２の連合。ＴＦＴの上流で、キャパシターＣは、ビデオフレームの一部の間、値を格納するメモリー構成要素として動作する。当該値は、次のビデオフレーム又はビデオフレームの次の部分の間にセル２により表示されるべきビデオ情報を表す。ＴＦＴはスイッチとして動作し、セル２の選択、キャパシターＣ内にデータを格納すること及び前記格納されたデータに対応するビデオ情報をセル２により表示することを可能にする。
−セル２の内容をリフレッシュするため、マトリックス１のセル２を行毎に選択する行又はゲート駆動装置３。
−現在選択されているラインの各セル２に格納されるべきデータを分配する列又はソース駆動装置４。この構成要素は、各セル２のビデオ情報を受信する。及び、
−所要のビデオ及び信号処理段階を適用し、及び所要の制御信号を行及び列駆動装置３、４へ分配するデジタル処理ユニット５。
【０００３】
実際には、ＯＬＥＤセル２を駆動する２つの方法がある。第１の方法では、デジタル処理ユニット５により送出される各デジタルビデオ情報は、列駆動装置４により、振幅がビデオレベルに正比例する電流へ変換される。当該電流は、マトリックス１の適切なセル２へ供給される。第２の方法では、デジタル処理ユニット５により送出されるデジタルビデオ情報は、列駆動装置４により、振幅がビデオレベルの２乗に比例する電圧へ変換される。当該電流又は電圧は、マトリックス１の適切なセル２へ供給される。
【０００４】
しかしながら、原則的に、ＯＬＥＤは電流駆動なので、駆動されるシステムに基づく各電圧は、電圧電流コンバーターに基づき、適切なセル発光を達成する。
【０００５】
以上から、行駆動装置３は行毎に選択を適用するだけなので、非常に単純な機能を有すると推定され得る。行駆動装置３は、事実上、シフトレジスタである。列駆動装置４は、実際の能動部品を表し、高レベルのデジタルアナログコンバーターと考えられ得る。
【０００６】
このような構造のＡＭＯＬＥＤによるビデオ情報の表示は、図２に図示される。入力信号はデジタル処理ユニットへ送られる。デジタル処理ユニットは、内部処理の後、送出データと同期した行駆動装置への行選択のタイミング信号を列駆動装置４へ分配する。列駆動装置４へ送信されたデータは、パラレル又はシリアルの何れかである。更に、列駆動装置４は、別個の基準信号装置６により分配された基準信号を処理する。当該構成要素６は、電圧駆動回路の場合に基準電圧のセットを、又は電流駆動回路の場合に基準電流のセットを分配する。最高の基準は白色に、最低の基準は最も小さいグレイレベルに用いられる。次に、列駆動装置４は、マトリックスセル２に、セル２により表示されるべきデータに対応する電圧又は電流振幅を印加する。
【０００７】
この概念を説明するため、電圧で駆動される回路の例は、本願明細書の残りで取り上げられる。この例の駆動装置は、Ｖ０乃至Ｖ７と称される８個の基準電圧を用いる。またビデオレベルは、以下の表１に説明されるように作られる。
［表１］電圧駆動装置からのグレイレベルの表
【０００８】
【表１】
2014132366.tif 000003
表１は、電圧駆動装置から得られた出力電圧（グレイスケール電圧レベル）を種々の入力ビデオレベルに対し示す。例えば、表２の基準電圧が用いられる。
［表２］電圧基準の例
【０００９】
【表２】
2014132366.tif 000004
次に、表１及び表２に従い、ビデオ入力レベルに依存する、以下の表３のグレイスケール電圧レベルが得られる。
［表３］グレイレベル電圧の例
【００１０】
【表３】
2014132366.tif 000005
前の段落から分かるように、現在のＡＭＯＬＥＤの概念は、色当たり８ビットの階調を供給可能である。これは、アナログサブフィールドの改善のようなより高度な解決法を用いることにより更に改善され得る。
【００１１】
如何なる場合も、将来、より大きいビデオ深さを有するディスプレイが必要になるだろう。この傾向は、１０ビットカラーチャネルに基づく伝送標準の発展で見られる。同時に、ＰＤＰ製造業者のような種々のディスプレイ製造者は、１０ビットより大きい色深さを備えたディスプレイを供給することを請求している。
【先行技術文献】
【特許文献】
【００１２】
【特許文献１】米国特許出願公開第２００２／０１１９７９（Ａ１）号明細書
【特許文献２】欧州特許出願公開第１６２２１１９（Ａ）号明細書
【特許文献３】欧州特許出願公開第１４６９４４９（Ａ）号明細書
【特許文献４】米国特許出願公開第２００３／１２２７４３（Ａ１）号明細書
【発明の概要】
【発明が解決しようとする課題】
【００１３】
本発明の目的は、所与のシーンに最大の色階調を提供するため、各ラインのビデオコンテンツに依存してビデオ深さを増大可能な方法及び装置を提供することである。つまり、ラインコンテンツ画像の改善が提供される。
【課題を解決するための手段】
【００１４】
本発明によると、当該目的は、以下の段階を有するディスプレイ装置を駆動する方法により解決される。
−前記ディスプレイ装置のラインの各画素又はセルのビデオレベルとしてデジタル値を供給する段階、
−少なくとも１つの基準駆動信号を供給する段階、及び
−前記デジタル値と前記少なくとも１つの基準駆動信号に基づき駆動信号を生成する段階、及び
−前記ビデオレベル及び前記少なくとも１つの基準駆動信号を、前記ラインの少なくとも一部のデジタル値に依存して調整する段階。
【００１５】
更に、以下を有するディスプレイ装置を駆動する装置が提供される。
−前記ディスプレイ装置のラインの画素又はセル毎にデジタル値を受信する入力手段、
−少なくとも１つの基準駆動信号を供給する基準信号手段、及び
−前記デジタル値と前記少なくとも１つの基準駆動信号とに基づき駆動信号を生成する駆動手段、及び
−前記ビデオレベル及び前記少なくとも１つの基準駆動信号を、前記ラインの少なくとも一部のデジタル値に依存して調整する調整手段。
【００１６】
望ましくは、ディスプレイ装置はＡＭＯＬＥＤ又はＬＣＤである。特に、これらディスプレイの概念は、上述の方法又は装置により改善され得る。
【００１７】
基準駆動信号は、基準電圧又は基準電流であって良い。これら駆動システムのそれぞれは、本発明から利益を得る。
【００１８】
更なる好適な実施例によると、ラインの少なくとも一部の最大デジタル値が決定される。また、基準駆動信号を調整する時、基準駆動信号は、決定されるべき又は予め決定された最小デジタル値と最大デジタル値との間のデジタル値に割り当てられる。この方法により、グレイスケールレベルの全範囲は、１つのラインのビデオ入力に用いられる。
【００１９】
更なる改善は、ラインの少なくとも部分のデジタル値のヒストグラムを決定し、及び当該ヒストグラムに基づき基準駆動信号を調整する時に、得られる。これは、結果として改善された画像のラインに依存した階調を生じる。
【００２０】
本発明の例である実施例は、図面に説明される。
【図面の簡単な説明】
【００２１】
【図１】従来技術によるＡＭＯＬＥＤ電子機器の回路図である。
【図２】従来技術による可能なＯＬＥＤディスプレイ構造である。
【図３】映画「ゾロ」のシーケンス及び対応するライン分析図である。
【図４】コロンビア映画のシーケンス及び対応するライン分析図である。
【図５】シーケンス「ゾロ」からのライン３０３のヒストグラムである。
【図６】最適基準電圧を有するライン３０３のヒストグラムである。
【図７】本発明のハードウェアの実施例のブロック図である。
【発明を実施するための形態】
【００２２】
本発明の概念の背景にある主要な考えは、ビデオシーンでは、ビデオの動特性範囲の全体がシーンの大部分で使用されないという事実に基づく。図３及び４は、異なる動特性のフレームの標準的な例を示す。図３は、映画「ゾロ」の暗い画像を示す。画像は、５６１ラインを有するフォーマット４：３を有する。図３の右側では、各ラインの最大ビデオレベルがプロットされる。
【００２３】
図４は、コロンビア映画の画像を示す。画像は、２６７ラインを有するフォーマット１６：９を有する。図４の右側は、殆ど各ラインが最大ビデオレベルで駆動されていることを示す。
【００２４】
図３及び４は共に、いくつかのシーケンスに対し、ビデオレベルの垂直分布における強力な相違があることを示す。最大の相違は、シーケンス「ゾロ」により説明されたように、ある明るいコンテンツを有する暗いシーンにある。
【００２５】
他方で、重要な点は、暗いシーンでは、目は画像階調に対し非常に敏感であることに注目することである。従って、暗いシーンに対する画像階調の最適化と同時に明るいシーンを非常に安定に保つことは、全体的な画像品質に好ましい効果を有する。
【００２６】
既に説明されたように、主要な考えは、駆動基準信号（電圧又は電流）をラインで利用可能な最大ビデオレベルに最適化することにより、画像ラインに依存する階調を実行することである。例えば、図３のシーケンス「ゾロ」では、ライン３０３の最大ビデオレベルは１２８である。従って、何も実行されなければ、８ビットの利用可能な階調（０乃至２５５）から、７だけが、当該ラインに用いられる（０乃至１２８）。しかしながら、本発明によると、０乃至１２８の間のビデオレベルに８ビット階調が用いられる。そうするために、駆動装置の基準信号は、これら１２９個のレベルに調整される。電圧で駆動されるシステムの現在の例では、最大電圧レベルは、従って元の電圧及び全ての他の電圧の１２９／２５６に調整される。これは図４に示される。
［表４］ライン３０３の調整された電圧基準の例
【００２７】
【表４】
2014132366.tif 000006
より一般的には、Sn=f(Srefn;MAX(Line))の形式の複雑な関数が基準信号に適用され得る。ここでMAX(Line)は所与のラインに用いられる最大ビデオレベルを表し、及びSrefnは基準信号（電圧又は電流の何れか）である。当該関数は、ＬＵＴ又は組み込み数学関数を用い実施され得る。
【００２８】
表４に示された例では、全ての電圧は、同一の変換Vn=(Vrefn-Vref７)×MAX(Line)/２５５+Vref７を用い変更されている。ここでVref０は閾電圧を表す。これは、電圧で駆動されるシステムに用いられ得る最も単純な変換である。何故ならガンマ関数が、比例L(x,y)∝I(x;y)=k×(V(x;y)-Vth)２に従いＯＬＥＤの内部で適用されるからである。ここでL(x;y)は(x;y)に位置する画素の照射を表し、及びI(x;y)は当該画素に供給される電流を表す。実際に第１の手法では、ガンマ２．２の代わりにガンマ２を有することができる場合、L(x,y)∝k×(Video(x;y))２を有する。この場合、ビデオレベルの動特性が因子ｐにより変更される場合、同一の因子により電圧を変更すれば十分であることが容易に理解される。２と異なるガンマ、又は如何なる固有ガンマも存在しない電流で駆動されるシステムのような他の全ての場合では、より複雑な変換が電圧調整のために必須である。なぜなら電圧がもはやビデオ値に比例しないからである。
【００２９】
例えば、電流で駆動されるシステムでは、L(x,y)=k×(I-Ith)であるが、理想的にはL(x,y)∝(Video(x;y))２．２であるべきである。従って、２．２のガンマ伝達関数は、ビデオレベルと適用される強度の間で必要である。従って、ビデオレベルが２で分割されると、L(x,y)∝(Video(x;y)/２）２．２=(Video(x;y))２．２/２２．２なので、提供される強度は４．５９で分割されなければならない。
【００３０】
電圧で駆動されるシステムも同様であり、実際のガンマ２．２が求められる。この場合、ビデオと電圧の間に形式V(x,y)∝Video(x;y)１．１に従い１．１の変換がある。最終的に次式を得る：
L(x,y)∝(V(x;y)-Vth)２∝(Video(x;y)１．１）２=Video(x;y)２．２
この場合、最大ビデオが２で分割されると、電圧は２１．１＝２．１４で分割されなければならない。
【００３１】
このような変換は非常に複雑であり、オンチップで計算することがしばしば困難である。従って、理想的な解決法は、それぞれ最大値のために設けられた２５５個の入力を有するＬＵＴを用いることである。出力は、調整因子を定めるため、８ビット以上であり得る。理想的には、１０ビットが必須である。
【００３２】
電流で駆動されるシステムの例に戻ると、ライン当たりの最大振幅が１２８である場合、２５６×１０ビットＬＵＴの出力は２２５である。従って、電圧は２２５で乗算され、１０２４で除算され、因子４．５９を得る。ここで、単なるシフトレジスタである２ｍ除算器が用いられる場合を除き、除算をハードウェアで実行することは非常に困難である。実際に１０２４で除算することは、１０だけシフトすることに対応する。従って、乗算係数は常に２ｐ除算器に基づく。このようなＬＵＴのいくつかの更なる例は、以下の表５に与えられる。
［表５］基準信号調整のためのＬＵＴの例
【００３３】
【表５】
2014132366.tif 000007
2014132366.tif 000008
以上と並行して、ビデオレベルは増強された階調の利益に従い変更されなければならない。その場合、Lout=Lin×２５５/MAX(Line)が適用される。ここでまた、変換は、MAX(Line)の２５６個の可能な値に対応する２５６個の入力及び１０ビット以上の係数に対応する出力を備えたＬＵＴを介し実施されるのが良い。
【００３４】
前の段落では、基準信号範囲をラインの最大可能ビデオレベルに調整することに基づく簡単な解決法が示された。より高度な概念は、より多くの使用ビデオレベルの間の階調の最適化をもたらす。このような画像ラインに依存する階調の増強された概念は、各ラインで実行されるヒストグラム分析に基づく。シーケンス「ゾロ」及びライン３０３の例は、電圧調整の先の手法を備えたこのようなヒストグラム分析から取られるべきである。
【００３５】
図５は、ヒストグラム分析で、シーケンス「ゾロ」（図３）のライン３０３のビデオレベルの再区分を示す。縦の線は、表４と関連して示された第１の実施例から新たに調整された電圧を表す。基準電圧は、表１の例に従い表される。またビデオレベルは式Vn=(Vrefn-Vref０)×MAX(Line)/２５５+Vref０に従い調整される。
【００３６】
全ての例で、単純にガンマ２が用いられるべきである。この場合、ビデオレベルと電圧との間の新たな対応は、表６に示される。
［表６］電圧駆動装置からの調整されたグレイレベルの表
【００３７】
【表６】
2014132366.tif 000009
図５から分かるように、ビデオレベルの最高値は、レベル１５（Ｖ５）とレベル９５（Ｖ２）との間に位置するが、これは最も優れた階調が得られる位置ではない。しかしながら、最も優れた階調は、基準電圧が互いに近い場合に得られる。この例は、第１の実施例に従い計算された電圧を有するこの駆動装置で得られた階調が、この特定のライン構造に最適化されないことを示す。
【００３８】
従って、更なる実施例によると、ビデオ変換及び電圧レベルの適応が提供され、ビデオレベルの最高値が分配される最も優れた階調を調整する。この概念を実施するため、駆動装置の動作を表す第１の表が必要である。第１の表は、各電圧により表されるレベル数を意味する。これは、表１の例に対し表７に示される。選択された駆動装置の全電圧基準の表は、例として付録１に与えられる。
［表７］電圧基準ビデオ表示の例
【００３９】
【表７】
2014132366.tif 000010
画像のヒストグラムは、ビデオレベル毎に、当該レベルが用いられる回数を表すことが一般に知られている。このようなヒストグラム表は、所与のラインに対し計算され、HISTO[n]として記述される。ここでｎは、入力画像（少なくとも８ビット以上）に用いられる可能なビデオレベルを表す。説明を簡単にするため、８ビット（２５６個の離散レベル）に限定された入力信号が取られる。
【００４０】
主要な考えは、電圧毎のビデオレベル限界の計算に基づく。このような限界は、各電圧内で符号化されるべき画素の理想的な数を表す。理想的には、これはライン当たりの画素数の百分率に基づく。例えば、ライン当たり７２０画素（７２０×３セル）を備えたディスプレイでは、電圧Ｖ５が用いられ、少なくとも７２０×３×１６／２５５＝１３５セルを符号化する。この仮定に基づき、以下の表８が得られる。
［表８］電圧基準限界の例
【００４１】
【表８】
2014132366.tif 000011
この表の限界は、LIMIT[０]=０，LIMIT[１]=１２７，．．．，LIMIT[７]=２７１を有する配列LIMIT[k]に格納される。
【００４２】
ライン毎に、以下の例である計算が実行される。
LevelCount=０
Range=１
For(l=０;l<２５５;l++)
{
LevelCount=LevelCount+HISTO[l]
If(LevelCount>LIMIT[Range])
{
LevelCount=０
LEVEL_SELECT[Range]=l
Range++
}
}
この計算から、ビデオレベルLEVEL_SELECT[k]の表は、結果として電圧ｋ−１とｋの間の変化におけるビデオレベルを表す。ライン３０３の結果は、付録２に基づく以下の表９に与えられる。
［表９］ライン３０３の分析結果
【００４３】
【表９】
2014132366.tif 000012
表９は以下を示す。
レベル０乃至１７はRange１で用いられる→電圧Ｖ６→LEVEL_SELECT[１]=１８
レベル１８乃至２１はRange２で用いられる→電圧Ｖ５→LEVEL_SELECT[２]=２２
レベル２２乃至３１はRange３で用いられる→電圧Ｖ４→LEVEL_SELECT[３]=３２
レベル３２乃至４０はRange４で用いられる→電圧Ｖ３→LEVEL_SELECT[４]=４１
レベル４１乃至５１はRange５で用いられる→電圧Ｖ２→LEVEL_SELECT[５]=５２
レベル５２乃至６０はRange６で用いられる→電圧Ｖ１→LEVEL_SELECT[６]=６１
レベル６１乃至１２８はRange７で用いられる→電圧Ｖ０→LEVEL_SELECT[７]=１２８
LEVEL_SELECT[０]=０である。
【００４４】
結果は図６に示される。図６は、ビデオレベル再区分に従う電圧再区分の可能な最適化を示す。ここでこの最適化に用いられたアルゴリズムの例は、同様の成果を有する他の計算が可能なので、例として見なされるべきである。実際に、上述の例で、Ｖ１乃至Ｖ０のギャップをもう少し減少させることが良い場合がある。これは、より複雑なシステムにより達成され得る。
【００４５】
所与のラインに対する最適電圧再区分が定められると直ぐに、正しい、改善された画像を表示するために２種類の調整が実行されるべきである。
−最初に、電圧自体の適応である。この計算は先の実施例で行われた計算と同様である。その場合、次式が適用される。
Vn=(Vrefn−Vrefrn-１)×((LEVEL_SELECT[n]-LEVEL_SELECT[n-１])/LIMIT[n])+Vn-１
ｎ≧１である。
−次に、ビデオレベルを変更し、新たな電圧分配に合わせる。この場合、Range  nに位置するレベルでは、照射値は次の通りである。
Lout=(Lin-LEVEL_SELECT[n-１])×(LIMIT[n]/(LEVEL_SELECT[n]-LEVE+_SELECT[n-１]))+TRANS[n-１]
表では、変化はLIMIT[k]値の累積であり、従って
【００４６】
【数１】
2014132366.tif 000013
である。従って、TRANS[０]=０,TRANS[１]=１６,TRANS[１]=３２,TRANS[２]=６４,TRANS[３]=１２８,TRANS[４]=１９２,TRANS[５]=２２４及びTRANS[６]=２５６を得る。
【００４７】
先の計算の結果は、以下の表１０及び１１に与えられる。
［表１０］ライン３０３の計算された新たな電圧
【００４８】
【表１０】
2014132366.tif 000014
［表１１］ライン３０３の計算された新たなビデオレベル
【００４９】
【表１１】
2014132366.tif 000015
既に説明されたように、複雑な計算は、大抵の場合ＬＵＴにより置き換えられる。ビデオレベル調整の状況では次のように記述される。
Lout=(Lin-LEVEL_SELECT[n-１])×(LIMIT[n]/(LEVEL_SELECT[n]-LEVEL_SELECT[n-１]))+TRANS[n-１]
８ビットＬＵＴは、入力として値LEVEL_SELECT[n]-LEVEL_SELECT[n-１]を取り、及び特定の因子（１０ビットより多い解像度が必須）を分配し除算を実行する。残りは、如何なる問題も有さずリアルタイムに行われ得る乗算及び加算のみである。
【００５０】
既に述べたように、例は、説明を簡単にするため電圧で駆動されるシステムにおける単純なガンマ２に関連する。異なるガンマ又は異なる電流で駆動されるシステムでは、従って計算は適応ＬＵＴを用いることにより調整されなければならない。
【００５１】
図７は、本発明の解決法の実施を図示する。入力信号１１は、ライン分析ブロック１２へ送られる。ライン分析ブロック１２は、入力ライン毎に、ライン毎の最高ビデオレベルのような所要のパラメーター抽出又はヒストグラム分析をも実行する。当該ブロック１２は、ラインの全処理を遅延させるラインメモリーを必要とする。実際に、ライン分析の結果は、ラインの終了時にのみ得られる。しかし当該ラインに行われるべき変更は、ライン全体に対し実行されなければならない。
【００５２】
分析及びラインの遅延の後、ビデオレベルはビデオ調整ブロック１３で調整される。ここで、新たなビデオレベルLoutは、元のビデオレベルLinに基づき生成される。新たなビデオレベルを備えたビデオ信号は、標準ＯＬＥＤ処理ユニット１４へ入力される。列駆動データは当該ユニット１４から出力され、そしてＡＭＯＬＥＤディスプレイ１６の列駆動装置１５へ送信される。更に、標準ＯＬＥＤ処理ユニット１４は、ＡＭＯＬＥＤディスプレイ１６の行駆動装置１７を制御する行駆動データを生成する。
【００５３】
ライン分析ブロック１２の分析データは、電圧調整ブロック１８へ更に供給される。電圧調整ブロック１８は、基準信号ユニット１９により供給されている基準電圧を調整する。この基準信号ユニット１９は、基準電圧Vrefnを列駆動装置１５へ分配する。基準電圧を調整するため、電圧調整ブロック１８は、行駆動装置１７と同期する。特定の基準電圧を設定する制御データは、電圧調整ブロック１８から基準信号ユニット１９へ送られる。電圧の適応は、ビデオレベルの適応と同様に、ＬＵＴ及び計算に基づき行われる。
【００５４】
電流で駆動されるシステムでは、基準信号は電流を用い実行され、及びブロック１８は電流調整を管理する。
【００５５】
本発明はＡＭＯＬＥＤ画面に限定されず、ＬＣＤディスプレイ又は基準信号手段を用いる他のディスプレイにも適用され得る。
付録１  全ての駆動装置の電圧の表
【００５６】
【表１２】
2014132366.tif 000016
2014132366.tif 000017
2014132366.tif 000018
2014132366.tif 000019
2014132366.tif 000020
2014132366.tif 000021
2014132366.tif 000022
2014132366.tif 000023
付録２  シーケンス「ゾロ」からのライン３０３のヒストグラム
【００５７】
【表１３】
2014132366.tif 000024
2014132366.tif 000025
2014132366.tif 000026
2014132366.tif 000027
2014132366.tif 000028
【符号の説明】
【００５８】
１１  入力信号
１２  ライン分析ブロック
１３  ビデオ調整ブロック
１４  標準ＯＬＥＤ処理ユニット
１５  列駆動装置
１６  ＡＭＯＬＥＤディスプレイ
１７  行駆動装置
１８  電圧調整ブロック
１９  基準信号ユニット
【図１】
2014132366.tif 000029
【図２】
2014132366.tif 000030
【図３】
2014132366.tif 000031
【図４】
2014132366.tif 000032
【図５】
2014132366.tif 000033
【図６】
2014132366.tif 000034
【図７】
2014132366.tif 000035
【外国語明細書】
2014132366000001.pdf